(57)【要約】【課題】呼出操作が行われた発信機より送信される電波を受信する受信機に当該電波の送信機能を備え、この受信機の設定操作に基づき、呼出報知を行う受信機を任意に設定する。【解決手段】第１の受信機２ａの設定スイッチ２４ａがオン設定である場合には、呼出操作が行われた発信機１からの第１の電波Ｓ１の搬送波である第１の識別符号の周波数と同一、または異なる周波数の搬送波をなす第２の識別符号で変調させた第２の電波Ｓ２を、当該第１の受信機の送信回路２１ａより第２の受信機２ｂへ所定のタイミングで送信することにより、この第２の電波が受信された第２の受信機では、第１の識別符号の周波数と第２の識別符号の周波数とが同一、またはそれぞれ異なる場合の相違に基づいて、所定のタイミングで呼出発報が行われる。【選択図】　図１
2004064680.tif 000002
【特許請求の範囲】
【請求項１】
呼出ボタン（１０、６０）を押下することにより第１の識別符号で変調された第１の電波（Ｓ１、Ｓ５１）を送信する発信機（１、５１）と、前記第１の電波が受信され復調した前記第１の識別符号が予め登録した識別符号と一致したときに作動して呼出音を鳴動する第１の受信機（２ａ、５２ａ）とからなる無線呼出装置において、
前記第１の受信機には、作動時において第２の識別符号で変調された第２の電波（Ｓ２、Ｓ５２）を送信するための送信回路（２１ａ、８１ａ）と、前記送信回路の動作のオン／オフを制御するための設定スイッチ（２４ａ、７２ａ）とを備え、
前記発信機の呼出ボタンを押下することにより前記第１の受信機が作動して呼出音を鳴動するときに、前記第１の受信機の前記設定スイッチがオン設定の場合には前記第１の受信機の前記送信回路より前記第２の電波が送信され、前記第２の電波が受信され復調した第２の識別符号が予め登録した識別符号と一致したときに作動して呼出音を鳴動し、前記第１の受信機の前記設定スイッチがオフ設定の場合には非作動とされる第２の受信機（２ｂ、５２ｂ）を設けたことを特徴とする無線呼出装置。
【請求項２】
前記発信機より送信される前記第１の電波の周波数と前記送信回路より送信される前記第２の電波の周波数とを同一にし、前記発信機より前記第１の電波が送信され前記第１の受信機の作動が終了してから前記送信回路より前記第２の電波を送信し、前記第２の受信機が作動するように遅延させることを特徴とする請求項１記載の無線呼出装置。
【請求項３】
前記発信機より送信される前記第１の電波の周波数と前記送信回路より送信される前記第２の電波の周波数とをそれぞれ異ならせて、前記発信機からの前記第１の電波の送信に伴って前記送信回路より前記第２の電波を送信し、前記第２の受信機を同時に作動させることを特徴とする請求項１記載の無線呼出装置。
【請求項４】
前記第１の受信機の前記送信回路を受信機本体から分離して別筐体とし、前記第１の受信機には、前記別筐体の発信機（５３ａ、５３ａ’）の送信回路（８１ａ）を作動させるための移報出力回路（７１ａ）を備え、
前記別筐体の発信機の前記送信回路には、前記第１の受信機からの移報出力を入力させる入力端子（８０ａ）を備えたことを特徴とする請求項１乃至請求項３のうち何れか１項記載の無線呼出装置。
【請求項５】
前記第１の受信機に前記送信回路の動作のオン／オフを制御するための人体感知センサ（２５ａ）を備え、前記第１の受信機の付近に人がいない場合には、前記第２の受信機へ前記第２の電波を送信することを特徴とする請求項１乃至請求項３のうち何れか１項記載の無線呼出装置。
【請求項６】
前記別筐体の発信機の付近に人がいない場合に、前記第２の受信機へ前記第２の電波を送信するよう前記移報出力回路からの移報信号を前記入力端子へ入力させるために前記別筐体の発信機の入力端子と前記第１の受信機の前記移報出力回路との接続ラインの間に人体感知センサ（５４ａ）を接続することを特徴とする請求項４記載の無線呼出装置。
【請求項７】
前記別筐体の発信機に送信回路の動作のオン／オフを制御するための人体感知センサ（８４ａ）を備え、前記別筐体の発信機の付近に人がいない場合には、前記第２の受信機へ前記第２の電波を送信することを特徴とする請求項４記載の無線呼出装置。
【発明の詳細な説明】
【０００１】
【発明の属する技術分野】
本発明は無線呼出装置に係り、特に、呼出操作が行われた発信機より送信される電波を受信機にて受信させ、この受信機にて呼出発報を行う無線呼出装置に関する。
【０００２】
【従来の技術】
従来から、発信機の使用者が離れた場所に居る相手を呼び出す際、相手側に設置される受信機にて呼出発報が行われる無線呼出装置として、図４のブロック図に示す構成の無線呼出装置（以下、従来例の無線呼出装置という。）が提案されている。
【０００３】
図４のブロック図に示す従来例の無線呼出装置において、呼出元の人物が携帯する、または呼出元側の付近に設置される発信機１０１には、呼出ボタン１１０、送信回路１１１が備えられている。また、呼出相手先の人物が携帯する、または呼出相手先側の付近に設置される複数の受信機、ここでは、２台の受信機１０２ａ、１０２ｂ（以下、第１の受信機１０２ａ、第２の受信機１０２ｂという。）は、それぞれ同様な構成であり、受信回路１２０ａ、１２０ｂ、呼出音発生回路１２１ａ、１２１ｂ、アンプ１２２ａ、１２２ｂ、スピーカ１２３ａ、１２３ｂ、制御回路１２４ａ、１２４ｂが備えられている。
【０００４】
このように構成された従来例の無線呼出装置において、発信機１０１の使用者が呼出ボタン１１０を押下すると、呼出操作を検出した送信回路１１１より電波が送信され、この電波は、第１、第２の各受信機１０２ａ、１０２ｂの受信回路２０ａ、１２０ｂにてそれぞれ受信される。
【０００５】
第２の各受信機１０２ａ、１０２ｂにおいて、発信機１０１の送信回路１１１からの電波が受信された受信回路１２０ａ、１２０ｂは受信確認信号を出力し、この受信確認信号が入力された制御回路１２４ａ、１２４ｂは、呼出音発生回路１２１ａ、１２１ｂを制御して呼出音信号を生成させる。この呼出音信号は、アンプ１２２ａ、１２２ｂを介して増幅され、発信機１０１の使用者からの呼び出しがあることを呼出発報させるための呼出音としてスピーカ１２３ａ、１２３ｂよりそれぞれ鳴動される。
【０００６】
【発明が解決しようとする課題】
しかしながら、従来例の無線呼出装置によれば、発信機１０１の使用者からの呼び出しは、第１、第２の各受信機１０２ａ、１０２ｂの使用者に対してそれぞれ呼出発報されるが、一方の受信機、例えば、第１の受信機１０２ａのみ呼出発報を行い、他方の受信機、例えば、第２の受信機１０２ｂでは呼出発報を行わないように設定するためには、例えば、他方の受信機である第２の受信機１０２ｂへの電源供給を遮断せねばならず、呼出発報を行う受信機を任意に設定できない難点があった。
【０００７】
本発明は、上述の難点を解消するためになされたもので、呼出操作が行われた発信機より送信される電波を受信する受信機に当該電波の送信機能を備え、この受信機の設定操作に基づいて、呼出発報を行う受信機を任意に設定できる無線呼出装置を提供することを目的としている。
【０００８】
【課題を解決するための手段】
上述の目的を達成するため、本発明の無線呼出装置は、呼出ボタンを押下することにより第１の識別符号で変調された第１の電波を送信する発信機と、第１の電波が受信され復調した第１の識別符号が予め登録した識別符号と一致したときに作動して呼出音を鳴動する第１の受信機とからなる無線呼出装置である。第１の受信機には、作動時において第２の識別符号で変調された第２の電波を送出するための送信回路と、送信回路の動作のオン／オフを制御するための設定スイッチとを備える。発信機の呼出ボタンを押下することにより第１の受信機が作動して呼出音を鳴動するときに、第１の受信機の設定スイッチがオン設定の場合には第１の受信機の送信回路より第２の電波が送信され、第２の電波が受信され復調した第２の識別符号が予め登録した識別符号と一致したときに作動して呼出音を鳴動し、第１の受信機の設定スイッチがオフ設定の場合には非作動とされる第２の受信機を設ける。
【０００９】
このような無線呼出装置によれば、呼出ボタンが押下された発信機より送信される第１の電波を受信する第１の受信機は、設定スイッチがオン設定である場合に、第１の電波の搬送波である第１の識別符号の周波数と同一、または異なる周波数の搬送波をなす第２の識別符号で変調させた第２の電波を第２の受信機へ送信できる。
【００１０】
また、本発明の無線呼出装置は、発信機より送信される第１の電波の周波数と送信回路より送信される第２の電波の周波数とを同一にし、発信機より第１の電波が送信され第１の受信機の作動が終了してから送信回路より第２の電波を送信し、第２の受信機が作動するように遅延させる。
【００１１】
このような無線呼出装置によれば、発信機より送信される第１の電波の搬送波である第１の識別符号の周波数と第１の受信機の送信回路より送信される第１の電波の搬送波である第２の識別符号の周波数とが同一の場合、第２の受信機では、第１の受信機の作動が終了した後、作動され、例えば、呼出発報を行うことができる。
【００１２】
また、本発明の無線呼出装置は、発信機より送信される第１の電波の周波数と送信回路より送信される第２の電波の周波数とをそれぞれ異ならせて、発信機からの第１の電波の送信に伴って送信回路より第２の電波を送信し、第２の受信機を同時に作動させる。
【００１３】
このような無線呼出装置によれば、発信機より送信される第１の電波の搬送波である第１の識別符号の周波数と第１の受信機の送信回路より送信される第１の電波の搬送波である第１の識別符号の周波数とがそれぞれ異なる場合、第２の受信機では、第１の受信機の作動と同時に作動し、例えば、呼出発報を行うことができる。
【００１４】
また、本発明の無線呼出装置は、第１の受信機の送信回路を受信機本体から分離して別筐体とし、第１の受信機には、別筐体の発信機の送信回路を作動させるための移報出力回路を備えている。別筐体の発信機の送信回路には、第１の受信機からの移報出力を入力させる入力端子を備えている。
【００１５】
このような無線呼出装置によれば、呼出ボタンが押下された発信機より送信される第１の電波の搬送波である第１の識別符号の周波数と同一、または異なる周波数の搬送波をなす第２の識別符号で変調させた第２の電波を第２の受信機へ送信するための送信回路とともに第１の受信機の移報出力回路からの移報出力を入力させるための入力端子を備えた発信機を、第１の受信機本体から分離させ別筐体の発信機として構成できる。
【００１６】
また、本発明の無線呼出装置は、第１の受信機に送信回路の動作のオン／オフを制御するための人体感知センサを備え、第１の受信機の付近に人がいない場合には、第２の受信機へ第２の電波を送信する。
【００１７】
このような無線呼出装置によれば、呼出ボタンが押下された発信機より送信される第１の電波を受信する第１の受信機は、当該第１の受信機の付近に人がいないと人体感知センサにて検出された場合に、第１の電波の搬送波である第１の識別符号の周波数と同一、または異なる周波数の搬送波をなす第２の識別符号で変調させた第２の電波を第２の受信機へ送信できる。
【００１８】
また、本発明の無線呼出装置は、別筐体の発信機の付近に人がいない場合に、第２の受信機へ第２の電波を送信するよう移報出力回路からの移報信号を入力端子へ入力させるために別筐体の発信機の入力端子と第１の受信機の移報出力回路との接続ラインの間に人体感知センサを接続する。
【００１９】
このような無線呼出装置によれば、第１の受信機の移報出力回路と当該第１の受信機本体より分離された別筐体の発信機の入力端子との間に設けられた人体感知センサにて当該別筐体の発信機の付近に人がいないと検出された場合、第１の電波の搬送波である第１の識別符号の周波数と同一、または異なる周波数の搬送波をなす第２の識別符号で変調させた第２の電波を第２の受信機へ送信できる
また、本発明の無線呼出装置は、別筐体の発信機に送信回路の動作のオン／オフを制御するための人体感知センサを備え、別筐体の発信機の付近に人がいない場合には、第２の受信機へ第２の電波を送信する。
【００２０】
このような無線呼出装置によれば、第１の受信機本体より分離された別筐体の発信機に備えられた人体感知センサにて当該別筐体の発信機の付近に人がいないと検出された場合、第１の電波の搬送波である第１の識別符号の周波数と同一、または異なる周波数の搬送波をなす第２の識別符号で変調させた第２の電波を第２の受信機へ送信できる。
【００２１】
【発明の実施の形態】
以下、本発明の無線呼出装置を適用した好ましい形態の実施例について、図面を参照して説明する。
【００２２】
図１は、本発明の第１の実施例による無線呼出装置の構成を示すブロック図であり、呼出元の人物が携帯する、または呼出元側の付近に設置される発信機１と、呼出相手先の人物が携帯する、または呼出相手先側の付近に設置される複数の受信機、ここでは、２台の受信機２ａ、２ｂ（以下、第１の受信機２ａ、第２の受信機２ｂという。）とで構成されている。また、第１、第２の各受信機２ａ、２ｂのうち、第１の受信機２ａは、第２の受信機２ｂの使用者を呼び出すための機能を有しており、第２の受信機２ｂは、図示しない他の受信機（以下、第３の受信機という。）の使用者を呼び出すための機能を有している。
【００２３】
図１のブロック図において、発信機１には、当該発信機の使用者が、第１の受信機２ａの使用者および／または第２の受信機２ｂの使用者を呼び出すために押下する呼出ボタン１０と、呼出ボタン１０の押下、すなわち、呼出操作を検出し、搬送波をなす第１の識別符号で変調させた第１の電波を第１の受信機２ａへ送信するための送信回路１１とが備えられている。
【００２４】
また、図１のブロック図において、第１の受信機２ａには、発信機１の送信回路１１より送信された第１の電波を受信するための受信回路２０ａと、受信回路２０ａにて受信された第１の電波の搬送波である第１の識別符号の周波数と同一、または異なる周波数の搬送波をなす第２の識別符号で変調させた第２の電波を第２の受信機２ｂへ送信するための送信回路２１ａと、送信回路２１ａより送信される第２の電波の搬送波である第２の識別符号の周波数を（予め）設定するための周波数設定スイッチ２２ａと、当該第１の受信機の使用者が、第２の受信機２ｂの使用者を呼び出すために押下する呼出ボタン２３ａと、送信回路２１ａの動作をオン／オフ切り替える、すなわち、送信回路２１ａより第２の受信機２ｂへの第２の電波の送信を行う／行わないようにするための設定スイッチ２４ａと、発信機１の使用者からの呼び出しを呼出発報させる呼出音として呼出音信号を生成するための呼出音発生回路２５ａと、呼出音発生回路２５ａからの呼出音信号を増幅するためのアンプ２６ａと、アンプ２６ａを介して増幅された呼出音信号を信号処理し、発信機１の使用者からの呼び出しがあることを当該第１の受信機の使用者に対して呼出発報させるための呼出音を鳴動するスピーカ２７ａと、受信回路２０ａにて受信された第１の電波の搬送波である第１の識別符号と自回路に予め登録されていた識別符号とが一致した場合にのみ呼出音発生回路２５ａを作動させるとともに、この制御状態において、設定スイッチ２４ａがオン設定である場合には、第２の電波を第２の受信機２ｂへ送信させるように送信回路２１ａを制御するための制御回路２８ａとが備えられている。
【００２５】
さらに、図１のブロック図において、第２の受信機２ｂには、第１の受信機２ａの送信回路２１ａより送信された第２の電波を受信するための受信回路２０ｂと、受信回路２０ｂにて受信された第２の電波の搬送波である第２の識別符号の周波数と同一、または異なる周波数の搬送波をなす第３の識別符号で変調させた第３の電波（詳述せず）を図示しない第３の受信機へ送信するための送信回路２１ｂと、送信回路２１ｂより送信される第３の電波の搬送波である第３の識別符号の周波数を（予め）設定するための周波数設定スイッチ２２ｂと、当該第２の受信機の使用者が、図示しない第３の受信機の使用者を呼び出すために押下する呼出ボタン２３ｂと、送信回路２１ｂの動作をオン／オフ切り替える、すなわち、送信回路２１ｂより図示しない第３の受信機への第３の電波の送信を行う／行わないようにするための設定スイッチ２４ｂと、発信機１の使用者、または第１の受信機２ａの使用者からの呼び出しを呼出発報させる呼出音として呼出音信号を生成するための呼出音発生回路２５ｂと、呼出音発生回路２５ｂからの呼出音信号を増幅するためのアンプ２６ｂと、アンプ２６ｂを介して増幅された呼出音信号を信号処理し、発信機１の使用者、または第１の受信機２ａの使用者からの呼び出しがあることを当該第２の受信機の使用者に対して呼出発報させるための呼出音を鳴動するスピーカ２７ｂと、受信回路２０ｂにて受信された第２の電波の搬送波である第２の識別符号と自回路に予め登録されていた識別符号とが一致した場合にのみ呼出音発生回路２５ｂを作動させるとともに、この制御状態において、設定スイッチ２４ｂがオン設定である場合には、第３の電波を図示しない第３の受信機へ送信させるように送信回路２１ｂを制御するための制御回路２８ｂとが備えられている。
【００２６】
このように構成された本発明の第１の実施例による無線呼出装置において、以下、具体的な動作について図１のブロック図を参照して説明する。
【００２７】
発信機１の使用者が呼出ボタン１０を押下すると、呼出操作を検出した送信回路１１より搬送波をなす第１の識別符号で変調させた第１の電波Ｓ１が送信され、この第１の電波Ｓ１は、第１の受信機２ａの受信回路２０ａにて受信される。
【００２８】
第１の受信機２ａにおいて、発信機１の送信回路１１からの第１の電波Ｓ１が受信された受信回路２０ａは、第１の電波Ｓ１の搬送波をなす第１の識別符号を包含させた受信確認信号Ｓ１０ａを出力する。この受信確認信号Ｓ１０ａが入力された制御回路２８ａは、当該受信確認信号に包含されている第１の識別符号と自回路に予め登録されていた識別符号とを照合し、一致が検出されることに起因して呼出音発生回路２５ａを作動させることにより、呼出音信号Ｓ１１ａが生成される。この呼出音信号Ｓ１１ａは、アンプ２６ａを介して増幅され、発信機１の使用者からの呼び出しがあることを呼出発報させるための呼出音としてスピーカ２７ａより鳴動される。
【００２９】
また、第１の受信機２ａにおいて、受信回路２０ａからの受信確認信号Ｓ１０ａに包含されている第１の識別符号と自回路に予め登録されていた識別符号との一致を検出した制御回路２８ａは、上述の呼出音発生回路２６ａへの制御と併せて、設定スイッチ２４ａのスイッチング状態を検出する。ここで、設定スイッチ２４ａがオン設定である場合には、これを検出した制御回路２８ａが送信回路２１ａを制御し、周波数設定スイッチ２２ａの操作により予め設定されていた上述の第１の識別符号の周波数と同一、または異なる周波数の搬送波をなす第２の識別符号で変調された第２の電波Ｓ２を、上述の各周波数が同一の場合には、当該第１の受信機の作動に起因して呼出発報が行われた後のタイミングで送信させ、各周波数がそれぞれ異なる場合には、発信機１の送信回路１１からの第１の電波Ｓ１の送信に伴うタイミングで送信させ、この第２の電波Ｓ２は、第２の受信機２ｂの受信回路２０ｂにて受信される。一方、設定スイッチ２４ａがオフ設定である場合には、これを検出した制御回路２８ａが送信回路２１ａより上述の第２の電波Ｓ２を送信させるような制御を行うことはなく、第２の受信機２ｂは非作動とされる。
【００３０】
第２の受信機２ｂにおいて、第１の受信機２ａの送信回路２１ａからの第２の電波Ｓ２が受信された受信回路２０ｂは、第２の電波Ｓ２の搬送波をなす第２の識別符号を包含させた受信確認信号Ｓ１０ｂを出力する。この受信確認信号Ｓ１０ｂが入力された制御回路２８ｂは、当該受信確認信号に包含されている第２の識別符号と自回路に予め登録されていた識別符号とを照合し、一致が検出されることに起因して呼出音発生回路２５ｂを作動させることにより、呼出音信号Ｓ１１ｂが生成される。この呼出音信号Ｓ１１ｂは、アンプ２６ｂを介して増幅され、発信機１の使用者からの呼び出しがあることを呼出発報させるための呼出音としてスピーカ２７ｂより鳴動され、この鳴動タイミングは、発信機１の送信回路１１より送信された第１の電波Ｓ１の搬送波をなす第１の識別符号の周波数と第１の受信機２ａの送信回路２１ａより送信された第２の電波Ｓ２の搬送波をなす第２の識別符号の周波数とが同一の場合には、第１の受信機２ａのスピーカ２７ａからの呼出音の鳴動タイミングよりも遅延されたタイミングとなる、一方、上述の各周波数がそれぞれ異なる場合には同一のタイミングで鳴動させることができる。
【００３１】
また、第２の受信機２ｂにおいて、受信回路２０ｂからの受信確認信号Ｓ１０ｂに包含されている第２の識別符号と自回路に予め登録されていた識別符号との一致を検出した制御回路２８ｂは、上述の呼出音発生回路２６ｂへの制御と併せて、設定スイッチ２４ｂのスイッチング状態を検出する。ここで、設定スイッチ２４ｂがオン設定である場合には、これを検出した制御回路２８ｂが送信回路２１ｂを制御し、周波数設定スイッチ２２ｂの操作により予め設定されていた上述の第２の識別符号の周波数と同一、または異なる周波数の搬送波をなす第３の識別符号で変調された第３の電波を、上述の各周波数が同一の場合には、当該第２の受信機の作動に起因して呼出発報が行われた後のタイミングで送信させ、各周波数がそれぞれ異なる場合には、第１の受信機２ａの送信回路２１ａからの第２の電波Ｓ２の送信に伴うタイミングで送信させ、この第３の電波が受信された図示しない第３の受信機にて所定のタイミング（詳述せず）で呼出発報を行うことができる。一方、設定スイッチ２４ｂがオフ設定である場合には、これを検出した制御回路２８ｂが送信回路２１ｂより上述の第３の電波を送信させるような制御を行うことはなく、図示しない第３の受信機は非作動とされる。
【００３２】
なお、本発明の第１の実施例による無線呼出装置では、第１の受信機２ａの使用者が呼出ボタン２３ａを押下することにより、第２の受信機２ｂのスピーカ２７ｂより呼出音を鳴動させ、当該第２の受信機の使用者に対して呼出発報を行うことができるばかりでなく、第２の受信機２ｂの使用者が呼出ボタン２３ｂを押下することにより、図示しない第３の受信機の使用者に対して呼出発報を行うこともできる（詳述せず）。
【００３３】
また、本発明の第１の実施例による無線呼出装置では、第１、第２の各受信機２ａ、２ｂとして、当該受信機の付近に人がいるか否かを検出するための人体感知センサが備えられていない当該受信機を適用させたが、第１、第２の各受信機２ａ、２ｂの制御回路２８ａ、２８ｂに人体感知センサ２９ａ、２９ｂを接続した当該受信機を適用することにより、設定スイッチ２４ａ、２４ｂがオン状態であり、人体感知センサ２９ａ、２９ｂにて人が検出されない場合にのみ、これを検出した制御回路２８ａ、２８ｂにより送信回路２１ａ、２１ｂを制御させることもできる（詳述せず）。
【００３４】
次に、本発明の第１の実施例による無線呼出装置と同様な効果、すなわち、第１の受信機の設定スイッチがオン設定であり、制御回路に接続／非接続される人体感知センサにて人が検出されない場合には、呼出操作が行われた発信機からの第１の電波の搬送波である第１の識別符号の周波数と同一、または異なる周波数の搬送波をなす第２の識別符号で変調させた第２の電波を、当該第１の受信機の送信回路より第２の受信機へ所定のタイミングで送信するように、設定スイッチの操作に基づいて、呼出発報を行う受信機を任意に設定できる他の実施例を、以下、本発明の第２の実施例による無線呼出装置として、図面を参照して説明する。
【００３５】
図２は、本発明の第２の実施例による無線呼出装置の構成を示すブロック図であり、呼出元の人物が携帯する、または呼出元側の付近に設置される発信機５１と、呼出相手先の人物が携帯する、または呼出相手先側の付近に設置される複数の受信機、ここでは、２台の受信機５２ａ、５２ｂ（以下、第１の受信機５２ａ、第２の受信機５２ｂという。）と、第１、第２の各受信機５２ａ、５２ｂの本体とは別筐体で構成されており、当該受信機に接続ラインＬ５１ａおよびＬ５２ａ、Ｌ５１ｂおよびＬ５２ｂを介してそれぞれ接続される発信機５３ａ、５３ｂ（以下、第１の別筐体の発信機５３ａ、第２の別筐体の発信機５３ｂという。）と、第１の別筐体の発信機５３ａの付近に人がいるか否かを検出し、人がいない場合には、接続ラインＬ５１ａおよびＬ５２ａを介して第１の受信機５２ａと当該第１の別筐体の発信機との間の信号伝送路を形成するための人体感知センサ５４ａと、第２の別筐体の発信機５３ｂの付近に人がいるか否かを検出し、人がいない場合には、接続ラインＬ５１ｂおよびＬ５２ｂを介して第２の受信機５２ｂと当該第２の別筐体の発信機との間の信号伝送路を形成するための人体感知センサ５４ｂとで構成されている。また、第１、第２の各別筐体の発信機５３ａ、５３ｂのうち、第１の別筐体の発信機５３ａは、第２の受信機５２ｂおよび第２の別筐体の受信機５３ｂの使用者を呼び出すための機能を有しており、第２の受信機５２ｂは、図示しない他の受信機（以下、第３の受信機という。）および他の別筐体の発信機（以下、第３の別筐体の発信機）の使用者を呼び出すための機能を有している。
【００３６】
図２のブロック図において、発信機５１には、当該発信機の使用者が、第１の受信機５２ａおよび第１の別筐体の発信機５３ａの使用者、および／または、第２の受信機５２ｂおよび第２の別筐体の発信機５３ｂの使用者を呼び出すために押下する呼出ボタン６０と、呼出ボタン６０の押下、すなわち、呼出操作を検出し、搬送波をなす第１の識別符号で変調させた第１の電波を第１の受信機５２ａへ送信するための送信回路６１とが備えられている。
【００３７】
また、図２のブロック図において、第１の受信機５２ａには、発信機５１の送信回路６１より送信された第１の電波を受信するための受信回路７０ａと、接続ラインＬ５１ａおよびＬ５２ａを介して接続された第１の別筐体の発信機５３ａへ移報信号を出力し、当該第１の別筐体の発信機の後述する送信回路８１ａの動作をオン／オフ切り替える、すなわち、送信回路８１ａより第２の受信機５２ｂへの第２の電波の送信を行う／行わないようにするための移報出力回路７１ａと、移報出力回路７１ａの動作をオン／オフ切り替える、すなわち、移報出力回路７１ａより接続ラインＬ５１ａおよびＬ５２ａを介して第１の別筐体の発信機５３ａへの移報信号の出力を行う／行わないようにするための設定スイッチ７２ａと、発信機５１の使用者からの呼び出しを呼出発報させる呼出音として呼出音信号を生成するための呼出音発生回路７３ａと、呼出音発生回路７３ａからの呼出音信号を増幅するためのアンプ７４ａと、アンプ７４ａを介して増幅された呼出音信号を信号処理し、発信機５１の使用者からの呼び出しがあることを当該第１の受信機および第１の別筐体の発信機５３ａの使用者に対して呼出発報させるための呼出音を鳴動するスピーカ７５ａと、受信回路７０ａにて受信された第１の電波の搬送波である第１の識別符号と自回路に予め登録されていた識別符号とが一致した場合にのみ、呼出音発生回路７３ａを作動させるとともに、この制御状態において、設定スイッチ７２ａがオン設定である場合には、移報出力回路７１ａより移報信号を出力させるように制御するための制御回路７６ａとが備えられている。
【００３８】
また、図２のブロック図において、第１の別筐体の発信機５３ａには、人体感知センサ５４ａにて人が検出されない場合に接続ラインＬ５１ａおよびＬ５２ａを介して伝送されてくる第１の受信機５２ａの移報出力回路７１ａからの移報信号が入力される入力端子８０ａと、第１の受信機５２ａの移報出力回路７１ａからの移報信号が入力端子８０ａに入力された場合にのみ、第１の受信機５２ａの受信回路７０ａにて受信された第１の電波の搬送波である第１の識別符号の周波数と同一、または異なる周波数の搬送波をなす第２の識別符号で変調させた第２の電波を第２の受信機５２ｂへ送信するための送信回路８１ａと、送信回路８１ａより送信される第２の電波の搬送波である第２の識別符号の周波数を（予め）設定するための周波数設定スイッチ８２ａと、第１の受信機５２ａおよび当該第１の別筐体の発信機の使用者が、第２の受信機５２ｂおよび第２の別筐体の発信機５３ｂの使用者を呼び出すために押下する呼出ボタン８３ａとが備えられている。
【００３９】
また、図２のブロック図において、第２の受信機５２ｂには、第１の別筐体の発信機５３ａの送信回路８１ａより送信された第２の電波を受信するための受信回路７０ｂと、接続ラインＬ５１ｂおよびＬ５２ｂを介して接続された第２の別筐体の発信機５３ｂへ移報信号を出力し、当該第２の別筐体の発信機の後述する送信回路８１ｂの動作をオン／オフ切り替える、すなわち、送信回路８１ｂより図示しない第３の受信機への第３の電波の送信を行う／行わないようにするための移報出力回路７１ｂと、移報出力回路７１ｂの動作をオン／オフ切り替える、すなわち、移報出力回路７１ｂより接続ラインＬ５１ｂおよびＬ５２ｂを介して第２の別筐体の発信機５３ｂへの移報信号の出力を行う／行わないようにするための設定スイッチ７２ｂと、発信機５１の使用者、または第１の受信機５２ａおよび第１の別筐体の発信機５３ａからの呼び出しを呼出発報させる呼出音として呼出音信号を生成するための呼出音発生回路７３ｂと、呼出音発生回路７３ｂからの呼出音信号を増幅するためのアンプ７４ｂと、アンプ７４ｂを介して増幅された呼出音信号を信号処理し、発信機５１の使用者、または第１の受信機５２ａおよび第１の別筐体の発信機５３ａからの呼び出しがあることを当該第２の受信機および第２の別筐体の発信機５３ｂの使用者に対して呼出発報させるための呼出音を鳴動するスピーカ７５ｂと、受信回路７０ｂにて受信された第２の電波の搬送波である第２の識別符号と自回路に予め登録されていた識別符号とが一致した場合にのみ、呼出音発生回路７３ｂを作動させるとともに、この制御状態において、設定スイッチ７２ｂがオン設定である場合には、移報出力回路７１ｂより移報信号を出力させるように制御するための制御回路７６ｂとが備えられている。
【００４０】
さらに、図２のブロック図において、第２の別筐体の発信機５３ｂには、人体感知センサ５４ｂにて人が検出されない場合に接続ラインＬ５１ｂおよびＬ５２ｂを介して伝送されてくる第２の受信機５２ｂの移報出力回路７１ｂからの移報信号が入力される入力端子８０ｂと、第２の受信機５２ｂの移報出力回路７１ａからの移報信号が入力端子８０ｂに入力された場合にのみ、第２の受信機５２ｂの受信回路７０ｂにて受信された第２の電波の搬送波である第２の識別符号の周波数と同一、または異なる周波数の搬送波をなす第３の識別符号で変調させた第３の電波を図示しない第３の受信機へ送信するための送信回路８１ｂと、送信回路８１ｂより送信される第３の電波の搬送波である第３の識別符号の周波数を（予め）設定するための周波数設定スイッチ８２ｂと、第２の受信機５２ｂおよび当該第２の別筐体の発信機の使用者が、図示しない第３の受信機および第３の別筐体の発信機の使用者を呼び出すために押下する呼出ボタン８３ｂとが備えられている。
【００４１】
このように構成された本発明の第２の実施例による無線呼出装置において、以下、具体的な動作について図２のブロック図を参照して説明する。
【００４２】
発信機５１の使用者が呼出ボタン６０を押下すると、呼出操作を検出した送信回路６１より搬送波をなす第１の識別符号で変調させた第１の電波Ｓ５１が送信され、この第１の電波Ｓ５１は、第１の受信機５２ａの受信回路７０ａにて受信される。
【００４３】
第１の受信機５２ａにおいて、発信機５１の送信回路６１からの第１の電波Ｓ５１が受信された受信回路７０ａは、第１の電波Ｓ５１の搬送波をなす第１の識別符号を包含させた受信確認信号Ｓ６０ａを出力する。この受信確認信号Ｓ６０ａが入力された制御回路７６ａは、当該受信確認信号に包含されている第１の識別符号と自回路に予め登録されていた識別符号とを照合し、一致が検出されることに起因して呼出音発生回路７３ａを作動させることにより、呼出音信号Ｓ６１ａが生成される。この呼出音信号Ｓ６１ａは、アンプ７４ａを介して増幅され、発信機５１の使用者からの呼び出しがあることを呼出発報させるための呼出音としてスピーカ７５ａより鳴動される。
【００４４】
また、第１の受信機５２ａにおいて、受信回路７０ａからの受信確認信号Ｓ６０ａに包含されている第１の識別符号と自回路に予め登録されていた識別符号との一致を検出した制御回路７６ａは、上述の呼出音発生回路７３ａへの制御と併せて、設定スイッチ７２ａのスイッチング状態を検出する。ここで、設定スイッチ７２ａがオン設定である場合には、これを検出した制御回路７６ａが移報出力回路７１ａを制御して移報信号Ｓ６２ａを出力させる。この移報信号Ｓ６２ａは、人体感知センサ５４ａにて人が検出されない場合、すなわち、第１の別筐体の発信機５３ａの付近に人がいない場合にのみ信号伝送路が形成される接続ラインＬ５１ａおよびＬ５２ａを介して当該第１の別筐体の発信機の入力端子８０ａに入力される。一方、設定スイッチ７２ａがオフ設定である場合には、人体感知センサ５４ａによる人の検出／非検出を問わず、すなわち、当該第１の別筐体の発信機の付近に人がいるか否かに拘わらず、これを検出した制御回路７６ａは、移報出力回路７１ａより上述の移報信号Ｓ６２ａを出力させるような制御を行うことはなく、第１の別筐体の発信機５３ａは非作動とされる。
【００４５】
第１の別筐体の発信機５３ａにおいて、第１の受信機５２ａの移報出力回路７１ａからの移報信号Ｓ６２ａが入力端子８０ａに入力されたことを検出した送信回路８１ａは、周波数設定スイッチ８２ａの操作により予め設定されていた上述の第１の識別符号の周波数と同一、または異なる周波数の搬送波をなす第２の識別符号で変調させた第２の電波Ｓ５２を、上述の各周波数が同一の場合には、第１の受信機５２ａの作動に起因して呼出発報が行われた後のタイミングで送信させ、各周波数がそれぞれ異なる場合には、発信機５１の送信回路６１からの第１の電波Ｓ５１の送信に伴うタイミングで送信させ、この第２の電波Ｓ５２は、第２の受信機５２ｂの受信回路７０ｂにて受信される。
【００４６】
第２の受信機５２ｂにおいて、第１の別筐体の発信機５３ａの送信回路８１ａからの第２の電波Ｓ５２が受信された受信回路７０ｂは、第２の電波Ｓ５２の搬送波をなす第２の識別符号を包含させた受信確認信号Ｓ６０ｂを出力する。この受信確認信号Ｓ６０ｂが入力された制御回路７６ｂは、当該受信確認信号に包含されている第２の識別符号と自回路に予め登録されていた識別符号とを照合し、一致が検出されることに起因して呼出音発生回路７３ｂを作動させることにより、呼出音信号Ｓ６１ｂが生成される。この呼出音信号Ｓ６１ｂは、アンプ７４ａを介して増幅され、発信機５１の使用者からの呼び出しがあることを呼出発報させるための呼出音としてスピーカ７５ｂより鳴動され、この鳴動タイミングは、発信機５１の送信回路６１より送信された第１の電波Ｓ５１の搬送波をなす第１の識別符号の周波数と第１の別筐体の発信機５３ａの送信回路８１ａより送信された第２の電波Ｓ５２の搬送波をなす第２の識別符号の周波数とが同一の場合には、第１の受信機５２ａのスピーカ７５ａからの呼出音の鳴動タイミングよりも遅延されたタイミングとなる、一方、上述の各周波数がそれぞれ異なる場合には同一のタイミングで鳴動させることができる。
【００４７】
また、第２の受信機５２ｂにおいて、受信回路７０ｂからの受信確認信号Ｓ６０ｂに包含されている第２の識別符号と自回路に予め登録されていた識別符号との一致を検出した制御回路７６ｂは、上述の呼出音発生回路７３ｂへの制御と併せて、設定スイッチ７２ｂのスイッチング状態を検出する。ここで、設定スイッチ７２ｂがオン設定である場合には、これを検出した制御回路７６ｂが移報出力回路７１ｂを制御して移報信号Ｓ６２ｂを出力させる。この移報信号Ｓ６２ｂは、人体感知センサ５４ｂにて人が検出されない場合、すなわち、第２の別筐体の発信機５３ｂの付近に人がいない場合にのみ信号伝送路が形成される接続ラインＬ５１ｂおよびＬ５２ｂを介して当該第２の別筐体の発信機の入力端子８０ｂに入力される。一方、設定スイッチ７２ｂがオフ設定である場合には、人体感知センサ５４ｂによる人の検出／非検出を問わず、すなわち、当該第２の別筐体の発信機の付近に人がいるか否かに拘わらず、これを検出した制御回路７６ｂは、移報出力回路７１ｂより上述の移報信号Ｓ６２ｂを出力させるような制御を行うことはなく、第２の別筐体の発信機５３ｂは非作動とされる。
【００４８】
第２の別筐体の発信機５３ｂにおいて、第２の受信機５２ｂの移報出力回路７１ｂからの移報信号Ｓ６２ｂが入力端子８０ｂに入力されたことを検出した送信回路８１ｂは、周波数設定スイッチ８２ｂの操作により予め設定されていた上述の第２の識別符号の周波数と同一、または異なる周波数の搬送波をなす第３の識別符号で変調させた第３の電波を、上述の各周波数が同一の場合には、第２の受信機５２ｂの作動に起因して呼出発報が行われた後のタイミングで送信させ、各周波数がそれぞれ異なる場合には、第１の別筐体の発信機５３ａの送信回路８１ａからの第１の電波Ｓ５２の送信に伴うタイミングで送信させ、この第３の電波が受信される図示しない第３の受信機にて所定のタイミング（詳述せず）で呼出発報を行うことができる。
【００４９】
なお、本発明の第２の実施例による無線呼出装置では、第１の受信機５２ａおよび第１の別筐体の発信機５３ａの使用者が、当該第１の別筐体の発信機の呼出ボタン８３ａを押下することにより、第２の受信機５２ｂのスピーカ７５ａより呼出音を鳴動させ、当該第２の受信機および第２の別筐体の発信機５３ｂの使用者に対して呼出発報を行うことができるばかりでなく、第２の受信機５２ｂおよび第２の別筐体の発信機５３ｂの使用者が、当該第２の別筐体の発信機の呼出ボタン８３ｂを押下することにより、図示しない第３の受信機および第３の別筐体の発信機の使用者に対して呼出発報を行うこともできる（詳述せず）。
【００５０】
次に、本発明の第１、第２の各実施例による無線呼出装置と同様な効果、すなわち、第１の実施例では第１の受信機の設定スイッチがオン設定であり、制御回路に接続／非接続される人体感知センサにて人が検出されない場合、一方、第２の実施例では第１の受信機の設定スイッチがオン設定であり、この第１の受信機と当該第１の受信機本体から分離された第１の別筐体の発信機との間の接続ライン上に備えられた人体感知センサにて人が検出されない場合において、呼出操作が行われた発信機からの第１の電波の搬送波である第１の識別符号の周波数と同一、または異なる周波数の搬送波をなす第２の識別符号で変調させた第２の電波を、当該第１の受信機および第１の別筐体の発信機の送信回路より第２の受信機へ所定のタイミングで送信するように、設定スイッチの操作に基づいて、呼出発報を行う受信機を任意に設定できる他の実施例を、以下、本発明の第３の実施例による無線呼出装置として、図面を参照して説明する。
【００５１】
図３は、本発明の第３の実施例による無線呼出装置の構成を示すブロック図であり、呼出元の人物が携帯する、または呼出元側の付近に設置される発信機５１と、呼出相手先の人物が携帯する、または呼出相手先側の付近に設置される複数の受信機、ここでは、２台の受信機５２ａ、５２ｂ（以下、第１の受信機５２ａ、第２の受信機５２ｂという。）と、第１、第２の各受信機５２ａ、５２ｂの本体とは別筐体で構成されており、当該受信機に接続ラインＬ５１ａおよびＬ５２ａ、Ｌ５１ｂおよびＬ５２ｂを介してそれぞれ接続される発信機５３ａ’、５３ｂ’（以下、第１の別筐体の発信機５３ａ’、第２の別筐体の発信機５３ｂ’という。）とで構成されている。また、第１、第２の各別筐体の発信機５３ａ’、５３ｂ’のうち、第１の別筐体の発信機５３ａ’は、第２の受信機５２ｂおよび第２の別筐体の受信機５３ｂ’の使用者を呼び出すための機能を有しており、第２の受信機５２ｂは、図示しない他の受信機（以下、第３の受信機という。）および他の別筐体の発信機（以下、第３の別筐体の発信機という。）の使用者を呼び出すための機能を有している。
【００５２】
なお、本発明の第３の実施例による無線呼出装置において、第１、第２の各別筐体の発信機５３ａ’、５３ｂ’を除く構成各部、すなわち、発信機５１および第１、第２の各受信機５２ａ、５２ｂは、本発明の第２の実施例による無線呼出装置に適用された該当各部と同様な構成であることにより、説明は省略する。
【００５３】
図３のブロック図において、第１の別筐体の発信機５３ａ’には、接続ラインＬ５１ａおよびＬ５２ａを介して伝送されてくる第１の受信機５２ａの移報出力回路７１ａからの移報信号が入力される入力端子８０ａと、第１の受信機５２ａの受信回路７０ａにて受信された第１の電波の搬送波である第１の識別符号の周波数と同一、または異なる周波数の搬送波をなす第２の識別符号で変調させた第２の電波を第２の受信機５２ｂへ送信するための送信回路８１ａと、送信回路８１ａより送信される第２の電波の搬送波である第２の識別符号の周波数を（予め）設定するための周波数設定スイッチ８２ａと、第１の受信機５２ａおよび当該第１の別筐体の発信機の使用者が、第２の受信機５２ｂおよび第２の別筐体の発信機５３ｂ’の使用者を呼び出すために押下する呼出ボタン８３ａと、第１の受信機５２ａの設定スイッチ７２ａの操作に起因した送信回路８１ａの動作のオン／オフ切り替えを、当該第１の別筐体の発信機の付近に人がいるか否かの相違に基づいて行うための人体感知センサ８４ａとが備えられている。
【００５４】
また、図３のブロック図において、第２の別筐体の発信機５３ｂ’には、接続ラインＬ５１ｂおよびＬ５２ｂを介して伝送されてくる第２の受信機５２ｂの移報出力回路７１ｂからの移報信号が入力される入力端子８０ｂと、第２の受信機５２ｂの受信回路７０ｂにて受信された第２の電波の搬送波である第２の識別符号の周波数と同一、または異なる周波数の搬送波をなす第３の識別符号で変調させた第３の電波を図示しない第３の受信機へ送信するための送信回路８１ｂと、送信回路８１ｂより送信される第３の電波の搬送波である第３の識別符号の周波数を（予め）設定するための周波数設定スイッチ８２ｂと、第２の受信機５２ｂおよび当該第２の別筐体の発信機の使用者が、図示しない第３の受信機および第３の別筐体の発信機の使用者を呼び出すために押下する呼出ボタン８３ｂと、第２の受信機５２ｂの設定スイッチ７２ｂの操作に起因した送信回路８１ｂの動作のオン／オフ切り替えを、当該第２の別筐体の発信機の付近に人がいるか否かの相違に基づいて行うための人体感知センサ８４ｂとが備えられている。
【００５５】
このように構成された本発明の第３の実施例による無線呼出装置において、以下、具体的な動作について図３のブロック図を参照して説明する。
【００５６】
なお、本発明の第３の実施例による無線呼出装置において、発信機５１の使用者により呼出ボタン６０が押下され、第１の受信機５２ａのスピーカ７５ａより呼出音が鳴動されるまでの動作は、本発明の第２の実施例による無線呼出装置の該当動作と同様であることにより、説明は省略する。
【００５７】
第１の受信機５２ａにおいて、（上述の第１の電波Ｓ５１が受信された）受信回路７０ａからの受信確認信号Ｓ６０ａに包含されている第１の識別符号と自回路に予め登録されていた識別符号との一致を検出した制御回路７６ａは、上述の呼出音発生回路７３ａへの制御と併せて、設定スイッチ７２ａのスイッチング状態を検出する。ここで、設定スイッチ７２ａがオン設定である場合には、これを検出した制御回路７６ａが移報出力回路７１ａを制御して移報信号Ｓ６２ａを出力させる。この移報信号Ｓ６２ａは、接続ラインＬ５１ａおよびＬ５２ａを介して第１の別筐体の発信機５３ａ’の入力端子８０ａに入力される。一方、設定スイッチ７２ａがオフ設定である場合、これを検出した制御回路７６ａは、移報出力回路７１ａより上述の移報信号Ｓ６２ａを出力させるような制御を行うことはなく、第１の別筐体の発信機５３ａ’は非作動とされる。
【００５８】
第１の別筐体の発信機５３ａ’において、第１の受信機５２ａの移報出力回路７１ａからの移報信号Ｓ６２ａが入力端子８０ａに入力されたことを検出した送信回路８１ａは、人体感知センサ８４ａにて人が検出されない場合、すなわち、当該第１の別筐体の発信機の付近に人がいない場合にのみ、周波数設定スイッチ８２ａの操作により予め設定されていた上述の第１の識別符号の周波数と同一、または異なる周波数の搬送波をなす第２の識別符号で変調させた第２の電波Ｓ５２を、上述の各周波数が同一の場合には、第１の受信機５２ａの作動に起因して呼出発報が行われた後のタイミングで送信させ、各周波数がそれぞれ異なる場合には、発信機５１の送信回路６１からの第１の電波Ｓ５１の送信に伴うタイミングで送信させ、この第２の電波Ｓ５２は、第２の受信機５２ｂの受信回路７０ｂにて受信される。
【００５９】
第２の受信機５２ｂにおいて、第１の別筐体の発信機５３ａ’の送信回路８１ａからの第２の電波Ｓ５２が受信された受信回路７０ｂは、第２の電波Ｓ５２の搬送波をなす第２の識別符号を包含させた受信確認信号Ｓ６０ｂを出力する。この受信確認信号Ｓ６０ｂが入力された制御回路７６ｂは、当該受信確認信号に包含されている第２の識別符号と自回路に予め登録されていた識別符号とを照合し、一致が検出されることに起因して呼出音発生回路７３ｂを作動させることにより、呼出音信号Ｓ６１ｂが生成される。この呼出音信号Ｓ６１ｂは、アンプ７４ａを介して増幅され、発信機５１の使用者からの呼び出しがあることを呼出発報させるための呼出音としてスピーカ７５ｂより鳴動され、この鳴動タイミングは、発信機５１の送信回路６１より送信された第１の電波Ｓ５１の搬送波をなす第１の識別符号の周波数と第１の別筐体の発信機５３ａ’の送信回路８１ａより送信された第２の電波Ｓ５２の搬送波をなす第２の識別符号の周波数とが同一の場合には、第１の受信機５２ａのスピーカ７５ａからの呼出音の鳴動タイミングよりも遅延されたタイミングとなる、一方、上述の各周波数がそれぞれ異なる場合には同一のタイミングで鳴動させることができる。
【００６０】
第２の別筐体の発信機５３ｂ’において、第２の受信機５２ｂの移報出力回路７１ｂからの移報信号Ｓ６２ｂが入力端子８０ｂに入力されたことを検出した送信回路８１ｂは、人体感知センサ８４ｂにて人が検出されない場合、すなわち、当該第２の別筐体の発信機の付近に人がいない場合にのみ、周波数設定スイッチ８２ｂの操作により予め設定されていた上述の第２の識別符号の周波数と同一、または異なる周波数の搬送波をなす第３の識別符号で変調させた第３の電波を、上述の各周波数が同一の場合には、第２の受信機５２ｂの作動に起因して呼出発報が行われた後のタイミングで送信させ、各周波数がそれぞれ異なる場合には、第１の別筐体の発信機５３ａ’の送信回路８１ａからの第１の電波Ｓ５２の送信に伴うタイミングで送信させ、この第３の電波が受信される図示しない第３の受信機にて所定のタイミング（詳述せず）で呼出発報を行うことができる。
【００６１】
なお、本発明の第３の実施例による無線呼出装置では、第１の受信機５２ａおよび第１の別筐体の発信機５３ａ’の使用者が、当該第１の別筐体の発信機の呼出ボタン８３ａを押下することにより、第２の受信機５２ｂのスピーカ７５ａより呼出音を鳴動させ、当該第２の受信機および第２の別筐体の発信機５３ｂ’の使用者に対して呼出発報を行うことができるばかりでなく、第２の受信機５２ｂおよび第２の別筐体の発信機５３ｂ’の使用者が、当該第２の別筐体の発信機の呼出ボタン８３ｂを押下することにより、図示しない第３の受信機および第３の別筐体の発信機の使用者に対して呼出発報を行うこともできる（詳述せず）。
【００６２】
【発明の効果】
以上の説明から明らかなように、本発明の無線呼出装置において、第１の受信機の設定スイッチがオン設定である場合には、呼出操作が行われた発信機からの第１の電波の搬送波である第１の識別符号の周波数と同一、または異なる周波数の搬送波をなす第２の識別符号で変調させた第２の電波を、当該第１の受信機の送信回路より第２の受信機へ所定のタイミングで送信するように、設定スイッチの操作に基づいて、呼出発報を行う受信機を任意に設定できる。また、第１の受信機に人体感知センサを備えることにより、設定スイッチがオン状態であり、人体感知センサにて人が検出されない場合にのみ、上述の第２の電波を所定のタイミングで第２の受信機へ送信できる。
【００６３】
また、本発明の無線呼出装置によれば、第２の受信機へ第２の電波を送信する送信回路は、第１の受信機、または第１の受信機本体から分離された別筐体の発信機に備えることができ、第１の受信機の付近に人がいるか否かを検出する人体感知センサについても、第１の受信機と別筐体の発信機とを接続する接続ラインの間、または別筐体の発信機に備えることができ、送信回路および人体感知センサの設置場所の選択が可能となる。
【図面の簡単な説明】
【図１】本発明の第１の実施例による無線呼出装置の構成を示すブロック図である。
【図２】本発明の第２の実施例による無線呼出装置の構成を示すブロック図である。
【図３】本発明の第３の実施例による無線呼出装置の構成を示すブロック図である。
【図４】従来例の無線呼出装置の構成を示すブロック図である。
【符号の説明】
１、５１・・・・・発信機
２ａ、５２ａ・・・・・第１の受信機
２ｂ、５２ｂ・・・・・第２の受信機
１０、６０・・・・・呼出ボタン
２１ａ、８１ａ・・・・・送信回路
２４ａ、７２ａ・・・・・設定スイッチ
２５ａ、５４ａ、８４ａ・・・・・人体感知センサ
５３ａ、５３ａ’・・・・・（受信機本体より分離された）別筐体の発信機
８０ａ・・・・・入力端子
Ｓ１、Ｓ５１・・・・・第１の電波
Ｓ２、Ｓ５２・・・・・第２の電波
【図１】
2004064680.tif 000003
【図２】
2004064680.tif 000004
【図３】
2004064680.tif 000005
【図４】
2004064680.tif 000006